(57)【要約】      （修正有）【課題】筐体に迅速に取付けられ、レール構造を強化することができるスライドキットを提供する。【解決手段】スライドキットは、外レール１８と、内レール２０と、制御部材５８を備える。内レール２０は、外レール１８に対して縦方向に連結してスライドし、上壁と、上壁に対応する下壁と、上壁と下壁に連接させる側壁と、少なくとも二つの取付部５０を備える。各取付部５０は、内レールの側壁に配置した開孔と、開孔から延伸し、内レールの上壁に連接するへこんだ壁板とを備える。制御部材５８は、内レールの側壁の内側に取付けられ、圧止部を備え、取付部の開孔に対応する。【選択図】図１
0003170788.tif 000002
【実用新案登録請求の範囲】
【請求項１】
外レールと、外レールに対して縦方向に連接しスライド移動する内レールとを備えたスライドキットであって、
前記内レールは、上壁と、上壁に相対する下壁と、上壁と下壁に連接する側壁と、内レールに配置する少なくとも二つの取付部と、内レールの側壁の内側に取付ける制御部材とを備え、
前記取付部は、内レールの側壁に配置した開孔と、開孔から延伸し内レールの上壁に連接するへこんだ壁板とを備え、
前記制御部材は、圧止部を備え、取付部の開孔に対応させてなることを特徴とするスライドキット。
【請求項２】
前記スライドキットはさらに、中レールを含み、中レールは内レールと外レールとの間に可動状態で連結され、
中レールと内レールとの間に第一スライド棚板が可動状態で取付けられ、第一スライド棚板に第一ボールグループが取付けられ、
外レールと中レールとの間に第二スライド棚板が可動状態で取付けられ、第二スライド棚板に第二ボールグループが取付けられ、
内レールの上壁には、第一連接段と第一曲折部とを設け、第一連接段に壁板がつらなり、
内レールの下壁には、第二連接段と第二曲折部とを設け、
内レールの上壁の第一曲折部と内レールの下壁の第二曲折部は、第一スライド棚板の第一ボールグループの回転軌道とすることを特徴とする請求項１に記載のスライドキット。
【請求項３】
前記内レールの側壁の内側には、前記取付部に対応させ、前記取付部の開孔に沿って凹部を配置することを特徴とする請求項１に記載のスライドキット。
【請求項４】
前記制御部材には、さらに、へこんだ壁板に対応するガイド部を設けることを特徴とする請求項１に記載のスライドキット。
【請求項５】
一つの筐体を一つのラックに対応させて取付けるラックに連結し、前記筐体は複数の取付部材を含み、各取付部材には、筐体の側面に突出する首部と頭部とを設ける、迅速取付構造を備えたスライドキットであって、
前記スライドキットは、外レールと、外レールに対して縦方向にスライドする内レールとを備え、
前記内レールは、上壁と、上壁に相対する下壁と、上壁と下壁に連接する側壁と、内レールに配置する複数の取付部とを備え、各取付部は、内レールの側壁に配置した開孔と、開孔から延伸し、内レールの上壁に連接したへこんだ壁板とを備え、且つ内レールの側壁の内側には前記取付部に対応させるとともに、前記開孔に沿って凹部を配置し、
前記筐体の取付部材は、前記頭部を内レールのへこんだ壁板箇所を経て前記開孔箇所の側壁の内側に嵌入され、前記頭部は前記開孔内に位置され、且つ前記頭部の一部は前記凹部に延伸されることを特徴とする迅速取付構造を備えたスライドキット。
【請求項６】
前記迅速取付構造を備えたスライドキットは、さらに中レールを含み、前記中レールは内レールと外レールとの間に可動状態で連結され、
中レールと内レールとの間に第一スライド棚板が可動状態で取付けられ、第一スライド棚板に第一ボールグループが取付けられ、
外レールと中レールとの間に第二スライド棚板が可動状態で取付けられ、第二スライド棚板に第二ボールグループが取付けられ、
内レールの上壁は、第一連接段と第一曲折部とを備え、
内レールの下壁は、第二連接段と第二曲折部とを備え、
内レールの上壁の第一曲折部と内レールの下壁の第二曲折部は、第一スライド棚板の第一ボールグループの回転軌道とすることを特徴とする請求項５に記載の迅速取付構造を備えたスライドキット。
【請求項７】
前記迅速取付構造を備えたスライドキットは、さらに制御部材を含み、制御部材は内レールの側壁の内側に取付けられるとともに、内レールの取付部の一つに対応し、
制御部材は、取付部の開孔に対応させる圧止部を備え、取付部材の頭部は、制御部材の圧止部に圧力をかけることにより、内レールの取付部に定位されることを特徴とする請求項５に記載の迅速取付構造を備えたスライドキット。
【請求項８】
前記制御部材には、さらにガイド部を含むことを特徴とする請求項７に記載の迅速取付構造を備えたスライドキット。
【請求項９】
一つの筐体を一つのラックに対応させて取付けるラックに連結し、前記筐体は、複数の取付部材を含み、各取付部材は頭部を備える、迅速取付構造を備えたスライドキットであって、
外レールと内レールと制御部材を備え、
前記内レールは、外レールに対して縦方向にスライドし、上壁と、上壁に相対する下壁と、上壁と下壁に連接する側壁と、内レールに配置する複数の取付部とを備え、
各取付部は、内レールの側壁に配置した開孔を備え、且つ内レールの側壁の内側には該取付部に対応させ、前記開孔に沿って凹部を配置し、
前記制御部材は、内レールの側壁の内側に取付けられるとともに、内レールの取付部の一つに対応し、且つ制御部材は、取付部の開孔に対応させる圧止部を備え、
前記頭部は、開孔箇所の側壁内側の凹部に嵌入されるとともに、制御部材の圧止部を制御して止めることを特徴とする迅速取付構造を備えたスライドキット。
【請求項１０】
前記迅速取付構造を備えたスライドキットは、さらに中レールを含み、中レールは、内レールと外レールとの間に可動状態で連結され、
中レールと内レールとの間に第一スライド棚板が可動状態で取付けられ、第一スライド棚板に第一ボールグループが取付けられ、
外レールと中レールとの間に第二スライド棚板が可動状態で取付けられ、第二スライド棚板に第二ボールグループが取付けられ、
内レールの上壁と下壁とは、第一スライド棚板の第一ボールグループの回転軌道とすることを特徴とする請求項９に記載の迅速取付構造を備えたスライドキット。
【考案の詳細な説明】
【技術分野】
【０００１】
本考案は、スライドキットに係り、特に、強化構造を備え、尚且つ、筐体（ｃｈａｓｓｉｓ）に迅速に取付けられる迅速取付構造を備えたスライドキットに関する。
【背景技術】
【０００２】
一般のパソコンシステム機器分野において、ラックマウント型サーバーは、通常、レールをサーバーの筐体（ｃｈａｓｓｉｓ）の両側に取付けて、レールと棚板をラック（ｒａｃｋ）の支柱上に架設することにより、サーバーをラックの外側に引っ張り出す利便さをはかり、検査やメンテナンスに役立てる。
【０００３】
特許文献１は、迅速取付システムを備えたスライドキットであり、それは、レールの上端を直接複数のＬ型孔に分割し、筐体の両側に複数の引掛柱を配置し、引掛柱をレールの取付孔内に定位させ、制御部材で複数の取付孔の内の一つを止めることにより、筐体を迅速に、支柱上に既に架設したレールに取付けることができる。
【０００４】
この種の取付の設計は、特許文献２、特許文献３、及び特許文献４等にも公開されている。
【０００５】
一般的に言えば、ラックの放置場所は空間が限られているため、ラック内の筐体を一部のレールとともに水平状態で引っ張り出し取外そうとする時、この種の取付方式では、筐体をラックから外側に引っ張り出す時に、筐体に対応して開かれるレール段を上方向に垂直に離脱させる方法で取外すことはできない。
【０００６】
しかし、上述で開かれたレール段は、その上端から中央箇所に直接、取付孔を配置しており、取付孔箇所に対応するレール体断面積は相対的に減少し、レール本体の構造強度が低下するため、それに取付ける筐体の耐荷力に影響を与える。
【０００７】
また、業界共通規格のラックの大きさとその支柱間の距離に条件が制限される状況のもと、サーバーの筐体容積を極力大きくする要求があるなら、支柱と筐体間のレールは、相対的に薄くなる。このような要求のもと、薄型化レール構造の強度はさらなる挑戦を受けることになり、上述した上端から中央に開かれた型態を備える取付孔は、薄型化レール設計に不利となる。
【０００８】
さらに、レールの薄型化に基づき、各レール体間の空間は、さらに狭くなり、筐体両側の引掛柱の頭部が前記取付孔内の空間に延伸して配置され、尚且つ、引掛柱の頭部の厚さは通常、レール体間のさらに狭くなった空間との組み合わせに利便さをはかるために、規格化されているか、或いは、強度要求により薄形化できない。よって、引掛柱と取付孔箇所でいかに合理的で適当な大空間を得られるかもまた、考慮しなければならない点である。
【０００９】
上述したとおり、公知の引き掛けによって設置する筐体の迅速な取付定位方式には欠点が残るため、さらに好ましいレール設計を提供し、前述の欠点を改善する必要がある。
【先行技術文献】
【特許文献】
【００１０】
【特許文献１】米国特許第６，２０９，９７９号明細書
【特許文献２】米国特許第６，６０１，９３３号明細書
【特許文献３】米国特許第６，９３８，９６７号明細書
【特許文献４】米国特許第７，３８２，６２３号明細書
【考案の概要】
【考案が解決しようとする課題】
【００１１】
本考案は、スライドキットに関し、筐体に迅速に取付けるとともに、レール構造を強化する、迅速取付構造を備えたスライドキットを提供することを目的としている。
【課題を解決するための手段】
【００１２】
本考案の第一観点にもとづき、スライドキットには、外レールと、外レールに対して縦方向に連結してスライドする内レールとを備える。前記内レールには、上壁と上壁に対応する下壁とを備え、一側壁は、上壁と下壁に連接させる。少なくとも一つの取付部を内レールに配置し、取付部には、内レールの側壁に配置した開孔と、開孔から延伸し、内レールの上壁に連接するへこんだ壁板とを備える。また、制御部材は、内レールの側壁の内側に取付け、尚且つ、制御部材には圧止部を備え、取付部材の開孔に対応させる。
【００１３】
本考案の第二観点にもとづき、迅速取付構造を備えたスライドキットは、ラックの取付システムに装着する筐体に用いるもので、そのうちの筐体の両側には、複数の取付部材を含む。前記スライドキットには、外レールと、外レールに対して縦方向に連接しスライド移動する内レールとを備える。また、前記内レールには、上壁と、上壁に相対する下壁と、上壁と下壁に連接する側壁と、内レールに配置する複数の取付部とを備え、各取付部には、内レールの側壁に配置した開孔と、開孔から延伸し、内レールの上壁に連接したへこんだ壁板とを備える。尚且つ、内レールの側壁の内側には、各取付部の開孔に沿って凹部を配置する。また、各取付部材は、筐体の両側に突出する首部と頭部とを備える。
【００１４】
そのうち、筐体の取付部材は、その頭部を内レールのへこんだ壁板箇所を経て上から下へと開孔の側壁の内側に嵌入し、尚且つ、頭部の一部を前記凹部に進入させる。
【００１５】
それにさらに含まれる中レールは、可動状態で内レールと外レールとの間に連結し、第一スライド棚板は、可動状態で中レールと内レールとの間に取付け、第一ボールグループは、第一スライド棚板に取付け、第二スライド棚板は、可動状態で、外レールと中レールとの間に取付け、第二ボールグループは、第二スライド棚板に取付け、内レールの上壁には、第一連接段と第一曲折部とを備え、内レールの下壁には、第二連接段と第二曲折部とを備え、該上壁の第一曲折部と該下壁の第二曲折部は、第一スライド棚板の第一ボールグループの回転軌道とする。
【００１６】
それにさらに包まれる制御部材は、内レールの側壁の内側に取付け、制御部材は、内レールの取付部の一つに対応し、尚且つ、制御部材には、取付部の開孔に対応させる圧止部を備える。
【００１７】
そのうち、筐体の取付部材の頭部は、内レールの開孔に嵌入し、制御部材の圧止部と圧力をかけあって、取付部材を内レールの取付部に定位させる。
【００１８】
そのうち、制御部材は、さらにへこんだ壁板に対応するガイド部を含む。
【考案の効果】
【００１９】
本考案の迅速取付構造を備えたスライドキットは、レール本体の構造強度を高め、特に、レールサイズの規格を変更せずに、筐体の幅を極大化でき、ラック内に取付けて安全に使用できるという効果を奏する。
【図面の簡単な説明】
【００２０】
【図１】本考案の筐体のスライドキットへの取付けを示した配置図である。
【図２】本考案の筐体と内レールの構造図である。
【図３】本考案のスライドキットの断面図である。
【図４】本考案の内レールの外側を示した説明図である。
【図５】本考案の内レールの内側を示した説明図である。
【図６】本考案の内レールと制御部材間の分解図である。
【図７】本考案の制御部材を内レール上に取付けた説明図である。
【図８】本考案の筐体の取付部材を内レールの取付部に取付けている過程を示した説明図である。
【図９】本考案の筐体の取付部材を内レールに取付けた後の定位を示した説明図である。
【図１０】本考案の制御部材を動かして取付部材を内レールから離脱させた状態を示す説明図である。
【図１１】本考案の取付部材と内レールの取付部間の対応関係を示す説明図である。
【図１２】本考案の取付部材と内レール及び中レール間の対応関係を示す説明図である。
【図１３】本考案の他の実施例に係る内レールと制御部材間の配置図である。
【図１４】本考案の他の実施例に係る内レールの開孔の配置図である。
【考案を実施するための形態】
【００２１】
図１には、ラック（図示せず）の四本の支柱１０、筐体１２、筐体１２の両側に固定した複数の取付部材１４、及びそれぞれを両側前、後の支柱１０に取付けた一対のスライドキット１６を示す。そのうち、各スライドキット１６は、少なくとも一つの外レール１８と、外レール１８に対して縦方向にスライド移動する内レール２０とを備え、好ましくは、中レール２２を可動状態で内レール２０と外レール１８との間に連結することにより、内レール２０は、外レール１８に対してさらに長い距離に引っ張り出すことができる。
【００２２】
本実施例において、筐体１２両側の取付部材１４は、支柱１０両側のスライドキット１６の内レール２０上に取付けるため、筐体１２は、スライドキット１６から引っ張り出したり押し入れたりすることで収納が可能となる。
【００２３】
図２に示すとおり、各取付部材１４は、筐体１２の両側に固着する。それは、首部２４と頭部２６を備えて筐体１２から突出し、そのうち、頭部２６の直径は、首部２４の直径を上回る。
【００２４】
図３に示すとおり、各スライドキット１６は、第一スライド棚板（ｃａｒｒｉａｇｅ）２８を可動状態で中レール２２と内レール２０との間に取付ける。第一ボールグループ３０を第一スライド棚板２８に取付けるため、中レール２２と内レール２０は、第一ボールグループ３０の回転と接触によって簡単に位置移動する。また、第二スライド棚板３２を可動状態で外レール１８と中レール２２との間に取付ける。第二ボールグループ３４を第二スライド棚板３２に取付けるため、外レール１８と中レール２２は、第二ボールグループ３４の回転と接触によって簡単に位置移動する。これが即ち、三段階式のスライドキットである。もし二段階式のスライドキットであるなら、スライド棚板を可動状態で外レール１８と内レール２０との間に取付ける。尚且つ、ボールグループをスライド棚板に取付けるだけで、前述したボールグループの回転と接触により簡単に位置移動させる使用目的を達成する。
【００２５】
本実施例において、各内レール２０には上壁３６と、上壁３６に相対する下壁３８と、上壁３６と下壁３８に連接する側壁４０とを含む。そのうち、上壁３６には、第一連接段４２と第一曲折部４４とを備え、第一曲折部４４は、上ボールの軌道とする。また、下壁３８には、第二連接段４６と第二曲折部４８とを備え、第二曲折部４８は、下ボールの軌道とする。上壁３６、下壁３８の第一曲折部４４、第二曲折部４８を第一スライド棚板２８の第一ボールグループ３０の回転軌道とする。図２及び図４に示すとおり、複数の取付部５０は、内レール２０に配置し、各取付部５０には、内レール２０の側壁４０に配置した開孔５２と、開孔５２から延伸し、内レール２０の上壁３６に連接し、へこんだ壁板５４とを備える。好ましくは、前記のへこんだ壁板５４は、内レール２０の上壁３６の第一連接段４２から垂直に内レール２０の側壁４０の一部分に延伸する。図５に示した好ましい一実施例では、さらに、それぞれが各取付部５０に対応する複数の凹部５６を備え、各凹部５６は、内レール２０の側壁４０の内側において各開孔５２の周囲に沿って形成される。
【００２６】
さらに、図６と図７とに示すように、内レール２０の側壁４０の内側に取付けた制御部材５８を備える。しかも、制御部材５８には圧止部６０を備え、内レール２０上の複数の開孔５２のうちの一孔に対応させる。制御部材５８を利用して、一物体を制限（例えば取付部材１４、図９参照）するため、物体は内レール２０に連接固定される。制御部材５８は、さらに、へこんだ壁板５４に対応するガイド部６２を備える。
【００２７】
筐体１２を支柱１０両側のスライドキット１６に取付け、組み立てたい時は、図１、図８、図９に示すとおり、筐体１２の取付部材１４を内レール２０の取付部５０に照準を合わせ、取付部材１４の頭部２６を内レール２０のへこんだ壁板５４箇所を経て上から下へ入れるため、取付部材１４の頭部２６は、制御部材５８のガイド部６２を押しあげて、スムーズに下方向にスライドし、下方の開孔５２に対応する側壁４０の内側に嵌入するため、取付部材１４の首部２４は、開孔５２内に対応する側壁４０に引きかかり、尚且つ、取付部材１４の頭部２６の一部が凹部５６に進入し、制御部材５８によって、その圧止部６０が取付部材１４の頭部２６を制止させると、取付部材１４は、安定した状態で内レール２０の開孔５２内に定位する。このようにして、筐体１２の両側をそれぞれ少なくとも二つの取付部材１４によって内レール２０上に対応する取付部５０に装着すると、支柱１０両側のスライドキット１６に連結し、引っ張り出しが可能となる引き出し式ラック構造が形成される。
【００２８】
図１０に示したものは、内レール２０の取付部５０から取付部材１４を取外すことを示した説明図である。それは、制御部材５８を引っ張ると、制御部材５８の圧止部６０は、取付部材１４の頭部２６を制御しなくなるため、取付部材１４は内レール２０上の開孔５２から離れ、最終的に、へこんだ壁板５４は上方向に離脱する。
【００２９】
好ましい実施例において、図１１に示すとおり、へこんだ壁板５４の深度Ｄ１は、取付部材１４の筐体１２を突出した頭部２６から首部２４の距離Ｌ１に等しく、尚且つ、取付部材１４の頭部２６をへこんだ壁板５４から直接下方にスライドさせて開孔５２の側壁４０内側に嵌入させる。壁板５４から開孔５２の側壁４０内側までの距離Ｌ２は、取付部材１４の頭部２６の厚さＴ１に相当する。開孔５２の側壁４０内側周囲に、さらに、凹部５６を形成した場合は、図１２に示すとおりとなり、壁板５４から凹部５６内側エッジの距離Ｌ３は、取付部材１４の頭部２６の厚さＴ１に相当する。このような状態において、取付部材１４の頭部２６が側壁４０内側に突出する高度を減少させられ、よって、頭部２６から中レール２２間の距離Ｌ４を拡大する。中レール２２と内レール２０間に第一スライド棚板２８を配置したなら、頭部２６から第一スライド棚板２８間の距離Ｌ５は拡大し、内レール２０と中レール２２或いは第一スライド棚板２８間の使用空間は増加する。
【００３０】
図１３に示すとおり、開孔５２ａはさらに、垂直段６４と水平段６６のＬ型形態を含む。本考案にて開示した技術にもとづくもう一つの好ましい実施例は、へこんだ壁板５４ａを開孔５２ａの垂直段６４から延伸させ、内レール２０ａの上壁３６ａに連接させる。並びに、内レール２０ａ内側の制御部材５８ａに備えた圧止部６０ａを開孔５２ａの水平段６６に対応させる。また、図１４に示すとおり、凹部５６ａは、内レール２０ａの側壁４０ａの内側において、開孔５２ａの垂直段６４と水平段６６の周囲に沿って形成される。
【００３１】
前述したとおり、本考案のこの種の設計は、公知のレールの一側面を切り開いた断面とは異なる。よって、レール本体の構造強度を高め、特に、レールサイズの規格を変更しない状況において、筐体の幅を極大化することができ、ラック内に取付けて安全に使用することができる。
【００３２】
本考案は、前述した好ましい実施例に開示したが、それは本考案に制限を加えるものではなく、よって、本考案の保護範囲は、実用新案登録請求の範囲を基準とすることを明記する。
【符号の説明】
【００３３】
１０      ラック
１２      筐体
１４      取付部材
１６      スライドキット
１８      外レール
２０      内レール
２２      中レール
２４      首部
２６      頭部
２８      第一スライド棚板
３０      第一ボールグループ
３２      第二スライド棚板
３４      第二ボールグループ
３６      上壁
３８      下壁
４０      側壁
４２      第一連接段
４４      第一曲折部
４６      第二連接段
４８      第二曲折部
５０      取付部
５２      開孔
５２ａ    開孔
５４      壁板  
５４ａ    壁板
５６      凹部
５６ａ    凹部
５８      制御部材
５８ａ    制御部材
６０      圧止部
６０ａ    圧止部
６２      ガイド部
６４      垂直段
６６      水平段
【図１】
0003170788.tif 000003
【図２】
0003170788.tif 000004
【図３】
0003170788.tif 000005
【図４】
0003170788.tif 000006
【図５】
0003170788.tif 000007
【図６】
0003170788.tif 000008
【図７】
0003170788.tif 000009
【図８】
0003170788.tif 000010
【図９】
0003170788.tif 000011
【図１０】
0003170788.tif 000012
【図１１】
0003170788.tif 000013
【図１２】
0003170788.tif 000014
【図１３】
0003170788.tif 000015
【図１４】
0003170788.tif 000016